(57)【要約】【課題】ドレンパンのガタ付きを防止して排水がこぼれたり騒音を発生するのを防止する。【解決手段】キャビネットの下部に、ドレンパン３４が出し入れ自在に収納される収容部３２が画成される。ドレンパン３４の前部上面には規制部４４が設けられる。収容部３２に収納されたドレンパン３４における規制部４４の上面４４ｂに、フロントパネル２６に設けた押え板４６が上方から弾力的に当接して、該ドレンパン３４は下方に向けて押圧される。すなわち、ドレンパン３４はガタ付かない状態で収容部３２に収納保持され、ガタ付きにより排水がこぼれたり騒音が発生するのは抑制される。【選択図】  図１
2005024180.tif 000002
【特許請求の範囲】
【請求項１】
筐体（１２，１４）の底面下部に設けた収容部（３２）に対して前側から出し入れ可能に収納され、前記筐体（１２，１４）の内部等で生じた排水を受容するドレンパン（３４）の配設構造であって、
前記筐体（１２，１４）の前面に配設されたフロントパネル（２６）の下面に、前記ドレンパン（３４）を収容部（３２）に収納した際に該ドレンパル（３４）に設けた規制部（４４）に上方から弾力的に当接して下方に押圧する押え手段（４６）を配設した
ことを特徴とするドレンパンの配設構造。
【請求項２】
前記フロントパネル（２６）は、筐体（１２，１４）に対して上下方向に位置調節可能に構成され、前記ドレンパン（２６）の規制部（４４）に対する押え手段（４６）による押圧力を調節し得るようになっている請求項１記載のドレンパンの配設構造。
【発明の詳細な説明】
【０００１】
【発明の属する技術分野】
この発明は、冷蔵庫や冷凍庫等を構成する筐体の内部等で生じた排水を受容するドレンパンの配設構造に関するものである。
【０００２】
【従来の技術】
冷蔵庫や冷凍庫等では、庫内の霜等による排水や、庫内に配設された冷却器からの排水、あるいは物品出し入れ用の開口部を閉成する扉の表面に付着した露等を、筐体に内部画成した機械室の底面下部に画成した収容部に出し入れ自在に収納配置したドレンパンに貯留するようにしている（例えば、特許文献１）。そして、ドレンパンにある程度の排水が貯留されたときには、該ドレンパンを収容部から取出して機外で排水を捨てるようになっている。
【０００３】
【特許文献１】
特開平６−３００４２５号公報
【０００４】
【発明が解決しようとする課題】
前述したように、ドレンパンは排水を捨てるために収容部に対して出し入れ可能に構成されているため、その収納状態においてはドレンパンと収容部との間に若干の隙間を生ずることは避けられない。この場合に、前記機械室内に配置されている圧縮機や凝縮器ファン等の冷凍装置の作動によって生ずる筐体の振動がドレンパンに伝わって該ドレンパンがガタ付き、貯留されている排水が多い場合には該排水がドレンパンからこぼれてしまうおそれがある。またドレンパンがガタ付くことによって、筐体との接触部で騒音を発生する難点も指摘される。
【０００５】
【発明の目的】
本発明は、前述した従来の技術に内在している前記課題に鑑み、これを好適に解決するべく提案されたものであって、ドレンパンのガタ付きを防止して排水がこぼれたり騒音を発生するのを防止し得るドレンパンの配設構造を提供することを目的とする。
【０００６】
【課題を解決するための手段】
前記課題を克服し、所期の目的を好適に達成するため、本発明に係るドレンパンの配設構造は、
筐体の底面下部に設けた収容部に対して前側から出し入れ可能に収納され、前記筐体の内部等で生じた排水を受容するドレンパンの配設構造であって、
前記筐体の前面に配設されたフロントパネルの下面に、前記ドレンパンを収容部に収納した際に該ドレンパルに設けた規制部に上方から弾力的に当接して下方に押圧する押え手段を配設したことを特徴とする。
【０００７】
【発明の実施の形態】
次に、本発明に係るドレンパンの配設構造につき、好適な実施例を挙げて、添付図面を参照しながら、以下詳細に説明する。
【０００８】
図３は、実施例に係るドレンパンの配設構造が実施される冷蔵ショーケースを示すものであって、該冷蔵ショーケース１０は、内装板と外装板との間にウレタン等の発泡断熱材を充填してなる断熱箱体１２と、該箱体１２が載置されるキャビネット１４とから基本的に構成される。断熱箱体１２の内部に、食品等を収納する貯蔵室１６が画成されると共に、該断熱箱体１２の前部には、スライド扉１８，１８により開閉自在に閉成される開口部１２ａが形成されている。
【０００９】
前記キャビネット１４は、シャーシ２０に底板２２、一対の側板（図示せず）および後板（図示せず）を配設して構成されて、その内部に機械室２４を画成している。この機械室２４には、冷凍装置や電装箱（何れも図示せず）等が収納され、該冷凍装置からの冷媒が循環供給される図示しない冷却器により冷却された冷気によって、前記貯蔵室１６が冷却されるようになっている。またキャビネット１４の前部には、機械室２４に収納した冷凍装置や電装箱等のメンテナンスを行なう開口が開設され、該開口を閉成するようにフロントパネル２６が着脱自在に配設される。このフロントパネル２６は、キャビネット１４に対して上下方向に位置調節可能に構成されて、後述する押え板４６によるドレンパン３４の押圧力を調節し得るようにしてある。なお実施例では、前記断熱箱体１２とキャビネット１４とから筐体が構成され、前記フロントパネル２６は、筐体に開設された開口を閉成するべく機能するものである。
【００１０】
前記キャビネット１４の底面４隅には脚２８が夫々配設されて、該キャビネット１４の前記底板２２が、設置床面に対して所定高さだけ上方に離間して位置するよう構成される。またキャビネット１４には、図１に示す如く、前記底板２２から所定高さだけ下方に離間して略水平に臨む受板３０が配設され、該受板３０と底板２２との間に、前方に開放する収容部３２が画成されている。そして、該収容部３２に、ドレンパン３４が前側から出し入れ自在に収納されるようになっている。
【００１１】
前記底板２２の前端には、下方に向けて直角に折曲された支持面２２ａが形成され、該支持面２２ａより後側に、前記貯蔵室１６内等で生じた排水を排出する排出管３６の出口３６ａが、該底板２２の下方に延出するよう配設される。そして、該排出管３６の出口３６ａから排出された排水が、前記ドレンパン３４に受容されるよう構成してある。
【００１２】
前記フロントパネル２６の下端には、図１に示す如く、後側（機械室側）に向けて直角に折曲された第１折曲部２６ａが形成されると共に、該第１折曲部２６ａの先端に、下方に向けて直角に折曲された第２折曲部２６ｂが形成されている。そしてフロントパネル２６は、第２折曲部２６ｂを前記底板２２の支持面２２ａに前側から当接した状態で、前側から螺合されたネジ３８を介して着脱自在に固定される。
【００１３】
前記ドレンパン３４は、前記収容部３２に収納可能な皿状の本体部４０の前端縁に把手４２が形成され、該把手４２を介して作業者はドレンパン３４を収容部３２から前側に引き出し得るよう構成される。また本体部４０の前部上面には、上方に突出する規制部４４が設けられ、規制部４４の収容部側を指向する後端面４４ａが、前記ドレンパン３４をキャビネット１４に固定するための前記ネジ３８の頭部３８ａに当接することで、当該ドレンパン３４の収容部３２に対する収納位置が決められるようになっている。なお、収容部３２に収納位置決めされたドレンパン３４における規制部４４は、前記フロントパネル２６における第１折曲部２６ａの下方に所定間隔離間して臨むよう設定される。
【００１４】
前記フロントパネル２６における第１折曲部２６ａの下面には、前記収容部３２に収納位置決めされたドレンパン３４における規制部４４の上面４４ｂに当接可能な位置に、板金からなる押え板（押え手段）４６が配設されている。この押え板４６は、その前端縁を第１折曲部２６ａに固定したもとで、その後端縁が下方に向けて傾斜するよう斜めに設けられている。また押え板４６における後端縁の高さ位置は、通常の状態においては前記受板３０に載置されて収容部３２に収納位置決めされたドレンパン３４における規制部４４の上面４４ｂの高さ位置より低い位置に臨むよう設定される（図１の二点鎖線で示す状態）。すなわち、ドレンパン３４を収容部３２に収納位置決めした際には、前記押え板４６が自身のバネ性によって規制部４４の上面４４ｂに上方から弾力的に当接して、該ドレンパン３４を下方に向けて押圧するよう構成される。なお、押え板４６は、規制部４４の幅方向に沿って所定長さで延在し、ドレンパン３４を幅方向の略全長に亘って下方に押圧し得るようになっている。
【００１５】
【実施例の作用】
次に、実施例に係るドレンパンの配設構造の作用につき説明する。前記キャビネット１４の下部に画成された収容部３２にドレンパン３４を収納する際には、図２に示す如く、該ドレンパン３４の本体部４０を前記受板３０に載置し、この状態でドレンパン３４を収容部３２に押込む。そして、受板３０に沿って後側に移動するドレンパン３４の前記規制部４４における後端面４４ａが、前記ネジ３８の頭部３８ａに当接することで、当該ドレンパン３４が収容部３２内で位置決めされる。すなわち、この状態でドレンパン３４の本体部４０が、前記排出管３６における出口３６ａの下方に臨み、該出口３６ａから排出される排水を本体部４０で確実に受容し得るようになる。
【００１６】
また前記ドレンパン３４における規制部４４の上面４４ｂには、図１に示す如く、前記フロントパネル２６に設けた押え板４６が上方から弾力的に当接して、該ドレンパン３４は下方に向けて押圧される。すなわち、ドレンパン３４は、前記受板３０に押付けられてガタ付かない状態で収容部３２に収納保持される。従って、前記機械室２４に配設されている冷凍装置等の作動によって、ドレンパン３４がガタ付いたり騒音を発生するのは抑制される。しかも、既存のフロントパネル２６に押え板４６を設けたから、該押え板４６を配設するための別の部材を設ける必要はなく、部品点数の増加を抑制して製造コストを低廉に抑え得る。
【００１７】
更に、実施例では押え板４６自身のバネ性を利用してドレンパン３４を押圧するよう構成したから、該ドレンパン３４を必要以上に押圧することはなく、前記収容部３２からドレンパン３４を引き出す際に大きな力を必要としない。なお、前記フロントパネル２６をキャビネット１４に対して上下方向に位置調節することで、押え板４６によるドレンパン３４の押圧力を調節することができるから、該ドレンパン３４を適正な状態で収容室３２に収納保持し得る。
【００１８】
【変更例】
実施例では、フロントパネルに設けた押え板自体が有するバネ性によってドレンパンを押圧するよう構成したが、別途設けたバネやゴム等の弾性部材によって押え板を弾力付勢するようにしたり（この場合は弾性部材と押え板とから押え手段が構成される）、あるいは該弾性部材（押え手段）自体によってドレンパンを押圧する構成を採用し得る。また、フロントパネルの第１折曲部の一部を折曲して押え手段を形成するようにしてもよい。なお、フロントパネルに設けられる押え手段は、実施例のように１つではなく、ドレンパンの規制部に対して幅方向に離間して複数配設する構成であってもよい。
【００１９】
実施例ではドレンパンの配設構造を冷蔵ショーケースに実施した場合で説明したが、本願はこれに限定されるものでなく、冷凍庫や冷蔵庫等、筐体の内部等で発生した排水をドレンパンに受容して機外に排出する必要のある各種機器に採用し得るものである。
【００２０】
【発明の効果】
以上に説明したように、本発明に係るドレンパンの配設構造によれば、ドレンパンがガタ付いて排水がこぼれたり、騒音の発生源となるのを抑制することができる。また、フロントパネルを上下方向に位置調節することで、ドレンパンに対する押え手段による押圧力を調節し得るから、該ドレンパンを常に適正な状態で収容部に収納保持することができる。
【図面の簡単な説明】
【図１】本発明の実施例に係るドレンパンの配設構造を、ドレンパンを収容部に収納した状態で示す縦断側面図である。
【図２】実施例に係るドレンパンの配設構造を、ドレンパンを収容部に収納する前の状態で示す縦断側面図である。
【図３】実施例に係るドレンパンの配設構造が実施される冷蔵ショーケースの正面図である。
【符号の説明】
１２  断熱箱体（筐体），１４  キャビネット（筐体），３２  収容部
３４  ドレンパン，４４  規制部，４６  押え板（押え手段）
【図１】
2005024180.tif 000003
【図２】
2005024180.tif 000004
【図３】
2005024180.tif 000005